(57)【要約】【課題】他の内部装置への影響を抑えつつ罹障した内部装置に対して電源ＯＮ/ＯＦＦを行う機能を有する通信装置を提供する。【解決手段】少なくともいずれか１つが通信入出力装置である複数の内部装置の各々に対応して設けられ、前記内部装置と電源とを接続あるいは非接続とする電源出力制御管理部と、前記接続あるいは前記非接続を前記電源出力制御管理部毎に制御する電源制御部とを有する。また、ネットワークに接続されており、前記ネットワークを介して遠隔から前記電源制御部に対して、前記電源出力制御管理部を接続あるいは非接続とする制御を行う。【選択図】図１
2015056764.tif 000002
【特許請求の範囲】
【請求項１】
少なくともいずれか１つが通信入出力装置である複数の内部装置の各々に対応して設けられ、前記内部装置と電源とを接続あるいは非接続とする電源出力制御管理部と、
前記接続あるいは前記非接続を前記電源出力制御管理部毎に制御する電源制御部と
を有する通信装置。
【請求項２】
ネットワークに接続されており、前記ネットワークを介して遠隔から前記電源制御部に対して、前記電源出力制御管理部を接続あるいは非接続とする制御を行う請求項１に記載の通信装置。
【請求項３】
現用系電源の停電時に予備系電源に切り替える電源入力制御管理部を備え、
前記電源制御部は、前記電源入力制御管理部が前記予備系電源に切り替える際、停電時の切断対象として予め設定されている前記内部装置に接続されている前記電源出力制御管理部に対し、電源を非接続にする制御を行うことを特徴とする請求項１〜２のいずれか一項に記載の通信装置。
【請求項４】
前記停電時において、
前記予備系電源の電源状態を測定する測定機能を有し、
前記電源制御部は、前記測定機能で測定した前記電源状態に基づいて、予め決められた優先度の低い前記内部装置に接続されている前記電源出力制御管理部を接続あるいは、非接続とすることを特徴とする請求項３に記載の通信装置。
【請求項５】
前記電源出力制御管理部は、前記内部装置と前記電源との間、あるいは前記電源制御部の内部のいずれかに設けられていることを特徴とする請求項１〜４のいずれか一項に記載の通信装置。
【請求項６】
前記電源制御部と前記電源出力制御管理部とを、あるいは前記電源制御部と前記電源出力制御管理部と電源入力制御管理部とをユニット化した１つの回路ブロックとして組み込んだことを特徴とする請求項１〜５のいずれか一項に記載の通信装置。
【請求項７】
前記電源出力制御管理部は、前記内部装置の内部に設けられていることを特徴とする請求項１〜４のいずれか一項に記載の通信装置。
【発明の詳細な説明】
【技術分野】
【０００１】
本発明は、遠隔制御することが可能な通信装置に関する。
【背景技術】
【０００２】
収容局やデータセンターなどに設置してある通信装置において、何らかの不具合によりシステム障害が発生することがある。システム障害を復旧させる際には、一般的には、通信装置に対して遠隔操作でウォームスタート等のコマンドレベルによる復旧作業が行われる。
【０００３】
しかし、通信装置が遠隔操作を受け付けなくなる完全な制御不能状態（以下、「ハングアップ」という。）となった場合、遠隔操作による復旧は困難である。この場合、通信装置の保守者が現地に出向き、電源ＯＮ/ＯＦＦを行う必要がある。具体的には、保守者は、手動により電源を一度ＯＦＦ状態にし、所定の時間経過後に電源をＯＮ状態にする。このような作業では、保守者の移動及び操作工程に対する費用が発生する。また、罹障時間が長引くといった問題がある。
【０００４】
この問題を解決するために、特許文献１に記載されているような方法が提案されている。図１５は、特許文献１に記載された技術を表す図である。図１５に示されたシステムでは、一般的な通信装置９１０に対し、遠隔操作型電源タップ９３０を使って電源をＯＮ／ＯＦＦ制御することが可能である。通信装置９１０は、複数の内部装置と電源回路９１６とを備える。内部装置の１つとして、ユーザ端末と通信を行う通信Ｉ／Ｏ部９１１〜９１４がある。１つの通信Ｉ／Ｏ部は、１つの内部装置に対応する。外部電源９００は例えば電源回路９１６にＡＣ１００Ｖを出力する。電源回路９１６は、外部電源９００から供給された電源の電圧を通信Ｉ／Ｏ部９１１〜９１４の動作電圧（例えば２４Ｖ電圧）に変換し、通信Ｉ／Ｏ部９１１〜９１４に出力している。
【先行技術文献】
【特許文献】
【０００５】
【特許文献１】特開２００６−１１４９９７号
【発明の概要】
【発明が解決しようとする課題】
【０００６】
図１５のような構成において、例えば通信Ｉ／Ｏ部９１１が障害を起こした場合、遠隔操作型電源タップ９３０で電源をＯＦＦにすると、通信Ｉ／Ｏ部９１２〜９１４にも通信Ｉ／Ｏ部９１１と同様に電源が供給されなくなる。つまり、遠隔操作型電源タップ９３０で電源をＯＦＦにすると通信装置９１０内の全ての通信Ｉ／Ｏ部９１１〜９１４に電源が供給されなくなる。そのため、通信Ｉ／Ｏ部９１１を使用しているユーザ端末９２０のみでなく通信Ｉ／Ｏ部９１２〜９１４を使用しているユーザ端末９２１〜９２３にも電源ＯＮ/ＯＦＦの影響が波及してしまう。
【０００７】
本発明は、このような事情に鑑みてなされたもので、その目的は、他の内部装置への影響を抑えつつ罹障した内部装置に対して電源ＯＮ/ＯＦＦを行う機能を有する通信装置を提供することである。
【課題を解決するための手段】
【０００８】
本発明の一態様は、少なくともいずれか１つが通信入出力装置である複数の内部装置の各々に対応して設けられ、前記内部装置と電源とを接続あるいは非接続とする電源出力制御管理部と、前記接続あるいは前記非接続を前記電源出力制御管理部毎に制御する電源制御部とを有する通信装置である。
【０００９】
また、本発明の一態様は、上述の通信装置であって、ネットワークに接続されており、前記ネットワークを介して遠隔から前記電源制御部に対して、前記電源出力制御管理部を接続あるいは非接続とする制御を行うことを特徴とする。
【００１０】
また、本発明の一態様は、上述の通信装置であって、現用系電源の停電時に予備系電源に切り替える電源入力制御管理部を備え、前記電源制御部は、前記電源入力制御管理部が前記予備系電源に切り替える際、停電時の切断対象として予め設定されている前記内部装置に接続されている前記電源出力制御管理部に対し、電源を非接続にする制御を行うことを特徴とする。
【００１１】
また、本発明の一態様は、上述の通信装置であって、前記停電時において、前記予備系電源の電源状態を測定する測定機能を有し、前記電源制御部は、前記測定機能で測定した前記電源状態に基づいて、予め決められた優先度の低い前記内部装置に接続されている前記電源出力制御管理部を接続あるいは、非接続とすることを特徴とする。
【００１２】
また、本発明の一態様は、上述の通信装置であって、前記電源出力制御管理部は、前記内部装置と前記電源との間、あるいは前記電源制御部の内部のいずれかに設けられていることを特徴とする。
【００１３】
また、本発明の一態様は、上述の通信装置であって、前記電源制御部と前記電源出力制御管理部とを、あるいは前記電源制御部と前記電源出力制御管理部と電源入力制御管理部とをユニット化した１つの回路ブロックとして組み込んだことを特徴とする。
【００１４】
また、本発明の一態様は、上述の通信装置であって、前記電源出力制御管理部は、前記内部装置の内部に設けられていることを特徴とする。
【発明の効果】
【００１５】
以上説明したように、本発明によれば、内部装置毎に電源の供給の有無を制御するようにした。よって、障害の発生した内部装置のみに対して電源ＯＮ/ＯＦＦを行うことができる。よって、他の内部装置への影響を抑えることができる。
【図面の簡単な説明】
【００１６】
【図１】本発明の第１実施形態における通信装置の構成例である。
【図２】本発明の第１実施形態における電源供給部のブロック図である。
【図３】本発明の第２実施形態における電源供給部のブロック図である。
【図４】本発明の第３実施形態における通信装置の構成例である。
【図５】本発明の第３実施形態における電源供給部のブロック図である。
【図６】本発明の第４実施形態における通信装置の構成例である。
【図７】本発明の第４実施形態における電源供給部のブロック図である
【図８】本発明の第４実施形態における内部装置に障害が発生した場合の基本的な動作フローチャートである。
【図９】本発明の第４実施形態における現用系電源の停電時フローチャートである
【図１０】本発明の第５実施形態における通信装置の構成例である。
【図１１】本発明の第６実施形態における通信装置の構成例である。
【図１２】本発明の第７実施形態における通信装置の構成例である。
【図１３】本発明の第８実施形態における通信装置の構成例である。
【図１４】本発明の第９実施形態における通信装置の構成例である。
【図１５】従来技術の遠隔操作型電源タップを使用した通信装置の構成例である。
【発明を実施するための形態】
【００１７】
以下、本発明の一実施形態を、図面を参照して説明する。また、図面に示す装置内の接続線のうち、点線は電源供給ライン、実線は通信線を表している。
【００１８】
（第１実施形態）
図１は、本発明の第１実施形態による通信装置１の構成例を示す図である。
通信装置１は、現用系電源３に接続されている。通信装置１は、各種データや信号を送受信する伝送装置である。
現用系電源３は、正常時に電源の供給元となる装置である。現用系電源３は、例えば発電所から得られる電源を供給する。
通信装置１は、例えばユーザ端末９１〜９４に接続され、データの送受信を行う。ユーザ端末９１〜９４は、通信可能な装置であり、例えば、電話機、パーソナルコンピュータ、スマートフォン、携帯電話機、テレビ受像機、ゲーム装置などの装置である。また、通信装置１は、ユーザ端末９１〜９４以外に他の通信装置もしくは、伝送装置に接続される場合もある。
【００１９】
次に、通信装置１について詳細に説明する。
図１に示すように、本発明の通信装置１は、電源供給先７及び電源供給部８を有している。
電源供給先７は、内部装置である通信Ｉ／Ｏ部（通信入出力装置）７１〜７４を有している。
図１に示す通り、通信I／Ｏ部７１〜７４は、それぞれユーザ端末９１〜９４とデータの送受信を行う。なお、通信I／Ｏ部７１〜７４は、複数のパッケージで構成されても良い。
【００２０】
次に、電源供給部８に関して、図１、図２を参照して説明する。図２は本発明の一実施形態における電源供給部８のブロック図である。
電源供給部８は、電源出力制御管理部８０１〜８０４、電源制御部８２０を備える。なお、通信I／Ｏ部７１〜７４が複数のパッケージで構成されている場合には、それぞれのパッケージごとに電源ＯＮ／ＯＦＦが可能な構成とする。
【００２１】
電源出力制御管理部８０１〜８０４の各々は、電源供給先７の各部に対して個々に設けられている。電源出力制御管理部８０１〜８０４は、スイッチ８０１ａ〜８０４ａを備える。スイッチ８０１ａ〜８０４ａの各々は、電源供給先７の各部と電源制御部８２０とを接続する電源供給ラインの接続をＯＮ／ＯＦＦ制御するものである。スイッチ８０１ａ〜８０４ａは、例えば、リレー、サイリスタ、トランジスタなどである。
【００２２】
電源制御部８２０は、電源部８２１、記憶部８２２、入出力部８２３、制御部８２４を備える。
電源部８２１は、入力端子が現用系電源３に接続されている。電源部８２１は、供給された電源電圧を電源供給先７の各部の動作電圧まで降圧、もしくは昇圧する。例えば、現用系電源３から電源部８２１にＡＣ１００Ｖが供給される場合、電源部８２１は、トランス等によりＡＣ１００Ｖを降圧し、整流回路でＤＣ電圧に変換する。その後、電源部８２１は、変換したＤＣ電圧をＤＣＤＣコンバータなどにより、目的の動作電圧まで降圧する。
【００２３】
記憶部８２２は、予め電源出力制御管理部８０１〜８０４の識別番号（以下、「制御識別番号」という。）を記憶している。
【００２４】
入出力部８２３は、制御部８２４に接続される。入出力部８２３は、外部から供給される第１制御信号を受信する。また、入出力部８２３は、受信した第１制御信号を制御部８２４に伝達する。
第１制御信号とは、内部装置の電源ＯＮ/ＯＦＦを指示する信号である。第１制御信号には、電源ＯＮ/ＯＦＦを行う対象の内部装置に接続された電源出力制御管理部８０３〜８０６の識別信号（以下、「電源ＯＮ/ＯＦＦ識別番号」という。）が付加されている。電源ＯＮ/ＯＦＦとは、電源ＯＮ/ＯＦＦ対象の内部装置への電源供給を一旦ＯＦＦ状態とし、一定時間経過後にＯＮ状態とする処理である。
第１制御信号は、ネットワークを介して入出力部８２３に送信されてもよい。また、第１制御信号は、通信装置１に設けられた不図示の入力装置の操作によって入出力部に送信されてもよい。
【００２５】
制御部８２４は、電源出力制御管理部８０１〜８０４に接続され、電源出力制御管理部毎にＯＮ／ＯＦＦ制御を行う。制御部８２４は、入出力部８２３から第１制御信号を受信する。制御部８２４は、第１制御信号から電源ＯＮ/ＯＦＦ識別番号を抽出する。制御部８２４は、抽出した電源ＯＮ/ＯＦＦ識別番号の電源出力制御管理部８０１〜８０４に対して、電源ＯＮ/ＯＦＦを行う。
制御部８２４は、制御識別番号が電源ＯＮ/ＯＦＦ識別番号と一致した電源出力制御管理部８０１にスイッチ８０１ａをＯＦＦ状態とする第２制御信号を送信する。電源出力制御管理部８０１は、第２制御信号を受信すると、スイッチ８０１ａをＯＦＦ状態にする。これより、通信Ｉ／Ｏ部７１に供給されていた電源の供給が停止される。
【００２６】
本実施形態は、内部装置毎に電源の供給の有無を制御することができる。よって、本実施形態によれば、障害の発生した内部装置のみに対して電源ＯＮ/ＯＦＦを行うことができる。これにより、従来のように装置全体を電源ＯＮ/ＯＦＦすることがなく、他の内部装置への影響を抑えることができる。
【００２７】
（第２実施形態）
次に本発明の第２実施形態について説明する。
図３は、本発明の第２実施形態における電源供給部８Ａのブロック図である。本発明の第２実施形態は、第１実施形態における図１の電源供給部８を図３に示す電源供給部８Ａに置き換えたものである。なお、図３において、図２と同様の構成には同一の符号を付してある。以下、構成及び動作が第１実施形態と異なる点を説明する。
【００２８】
電源供給部８Ａは、電源出力制御管理部８０１Ａ〜８０４Ａ、電源制御部８２０を備える。
電源出力制御管理部８０１Ａ〜８０４Ａの各々は、電源供給先７の各部に対して個々に設けられている。電源出力制御管理部８０１Ａ〜８０４Ａは、スイッチ８０１ａ〜８０４ａ及び計測センサ８０１ｂ〜８０４ｂを備える。計測センサ８０１ｂ〜８０４ｂの各々は、スイッチ８０１ａ〜８０４ａと電源部８２１の間にそれぞれ接続されている。計測センサ８０１ｂ〜８０４ｂは、電源供給先７の各部に印加される電圧の電圧値、消費される電流の電流値を計測する計測機能を有する。計測センサ８０１ｂ〜８０４ｂは、自身が取得した電圧値及び電流値のいずれか一方、又は電圧値及び電流値双方の値のデータ（以下「計測データ」という。）を電源制御部８２０に送信する。
【００２９】
記憶部８２２は、スイッチ状態閾値を記憶している。スイッチ状態閾値は、計測センサ８０１ｂ〜８０４ｂが測定した測定データと比較する閾値である。例えば、計測データが電流値の場合、スイッチ状態閾値は、スイッチがＯＮ状態かＯＦＦ状態かのいずれかであるかを判定する電流値の閾値である。
制御部８２４は、計測センサ８０１ｂ〜８０４ｂの各々が計測する計測データを単位時間ごとに取得する。制御部８２４は、取得した計測データがスイッチ状態閾値以上か否かの判定を行う。制御部８２４は、取得した電流値がスイッチ状態閾値未満の場合、スイッチがＯＦＦ状態と判定する。一方、制御部８２４は、取得した電流値がスイッチ状態閾値以上の場合、スイッチがＯＮ状態と判定する。
制御部８２４は、記憶部８２２に対して、計測データ及びＯＮ／ＯＦＦ状態を電源出力制御管理部の識別番号に対応させて時系列に蓄積する。計測データは、計測センサ８０１ｂ〜８０４ｂが取得した電圧値及び電流値のいずれか一方、又は電圧値及び電流値双方の値のデータである。保守者は、蓄積された計測データを閲覧することができる。
【００３０】
本実施形態は、第１実施形態と同様に、内部装置毎に電源の供給の有無を制御することができる。よって、本実施形態によれば、障害の発生した内部装置のみに対して電源ＯＮ/ＯＦＦを行うことができる。これにより、従来のように装置全体を電源ＯＮ/ＯＦＦすることがなく、他の内部装置への影響を抑えることができる。
さらに、本実施形態において、制御部８２４は、スイッチ８０１ａ〜８０４ａのＯＮ／ＯＦＦ状態の検知を行う。これより、障害が発生し内部装置に対して電源ＯＮ/ＯＦＦが行われたことを確認することができる。
（第３実施形態）
次に本発明の第３実施形態について説明する。
図４は、本発明の第３実施形態における通信装置１Ｂの構成例である。本発明の第３実施形態は、第２実施形態に予備系電源４が接続された場合の通信装置１Ｂの構成例である。なお、図１と同様の構成には同一の符号を付してある。以下、構成及び動作が第１実施形態と異なる点を説明する。
【００３１】
通信装置１Ｂは、現用系電源３と予備系電源４とに接続されている。
予備系電源４は、異常時に電源の供給元となる装置である。予備系電源４は、例えば、正常時に現用系電源３から充電を行うことで、異常時に使用可能な蓄電池である。正常時とは、現用系電源３が通信装置１Ｂに十分な電源を供給できる状態である。異常時とは、現用系電源３が通信装置１に十分な電源を供給できない状態である。
図４に示すように、本発明の通信装置１Ｂは、電源供給先７及び電源供給部８Ｂを有している。
電源供給部８Ｂに関して、図４、図５を参照して説明する。図５は本発明の第３実施形態における電源供給部８Ｂのブロック図である。
なお、図２と同様の構成には同一の符号を付してある。以下、構成及び動作が第２実施形態と異なる点を説明する。
【００３２】
電源供給部８Ｂは、電源出力制御管理部８０１〜８０４、電源制御部８２０、第１電源入力制御管理部８１１、第２電源入力制御管理部８１２を備える。
【００３３】
第１電源入力制御管理部８１１は、現用系電源３及び電源制御部８２０の間に接続されている。第１電源入力制御管理部８１１は、スイッチ８１１ａ及び計測センサ８１１ｂを備える。スイッチ８１１ａは、現用系電源３から電源制御部８２０に接続される電源供給ラインのＯＮ／ＯＦＦ制御を行うスイッチであり、例えば、リレー、サイリスタ、トランジスタなどである。計測センサ８１１ｂは、現用系電源３から電源制御部８２０に印加される電圧の電圧値、消費される電流の電流値を計測する計測機能を有する。計測センサ８１１ｂは、自身が取得した計測データを電源制御部８２０に送信する。
【００３４】
第２電源入力制御管理部８１２は、予備系電源４及び電源制御部８２０の間に接続されている。第２電源入力制御管理部８１２は、スイッチ８１２ａ及び計測センサ８１２ｂを備える。スイッチ８１２ａは、予備系電源４から電源制御部８２０に接続される電源供給ラインのＯＮ／ＯＦＦ制御を行うスイッチであり、例えば、リレー、サイリスタ、トランジスタなどである。計測センサ８１２ｂは、予備系電源４から電源制御部８２０に印加される電圧の電圧値、消費される電流の電流値を計測する計測機能を有する。計測センサ８１２ｂは、自身が取得した計測データを電源制御部８２０に送信する。
【００３５】
電源部８２１は、入力端子が計測センサ８１１ｂ及びスイッチ８１２ａに接続されている。通常時は、電源部８２１には、現用系電源３から電源が供給される。異常時は、電源部８２１には、予備系電源４から電源が供給される。
電源部８２１は、生成した動作電圧の電源を電源出力制御管理部８０１Ａ〜８０４Ａを経由して電源供給先７の各部に供給する。なお、電源が予備系電源４より供給される場合においても、上述したように電源部８２１が動作電圧の電源を生成する。
【００３６】
記憶部８２２は、閾値として、下限値、上限閾値、下限閾値を記憶している。下限値は、計測センサ８１１ｂが測定した計測データと比較する閾値である。上限閾値及び下限閾値（ただし、上限閾値＞下限閾値である）は、計測センサ８１２ｂが測定した電圧値と比較する閾値である。
記憶部８２２は、予め第１電源入力制御管理部８１１、第２電源入力制御管理部８１２の識別番号を記憶している。
【００３７】
制御部８２４は、第１電源入力制御管理部８１１、第２電源入力制御管理部８１２に接続され、電源入力制御管理部毎にＯＮ／ＯＦＦ制御を行う。
制御部８２４は、計測センサ８１１ｂ、８１２ｂの各々が計測した計測データを単位時間ごとに時系列に取得し、記憶部８２２に蓄積する。
制御部８２４は、計測センサ８１１ｂから取得した電圧値が下限値未満の場合、停電が発生したと判定する。制御部８２４は、停電が発生したと判定した場合、電源部８２１への電源供給ルートを現用系電源３から予備系電源４に切り替える。制御部８２４は、第１電源入力制御管理部８１１にスイッチ８１１ａをＯＦＦ状態とする信号を送信する。また、第２電源入力制御管理部８１２にスイッチ８１２ａをＯＮ状態とする信号を送信する。
制御部８２４は、電源供給ルートを現用系電源３から予備系電源４に切り替え完了後、予備系電源４の電圧値を確認する。制御部８２４は、予備系電源４の電圧値に基づいて、予め決められた内部装置の優先度の低い順番に従って電源を切断する。例えば、通信部の冗長構成の予備系を電源断する。また、制御部８２４は、重要度が高い回線が接続されている通信Ｉ／Ｏ部７１以外の通信Ｉ／Ｏ部７２、７３，７４の電源を切断する。
制御部８２４は、８１１ｂが計測した計測データが下限値未満の場合、現用系電源３の停電を示すアラームを送出する。
制御部８２４は、８１２ｂが計測した計測データが上限閾値及び下限閾値の範囲内ではない場合、予備系電源４に障害が発生したことを示すアラームを送出する。
【００３８】
本実施形態は、第１実施形態と同様に、内部装置毎に電源の供給の有無を制御することができる。よって、障害の発生した内部装置のみに対して電源ＯＮ/ＯＦＦを行うことができ、従来のように装置全体を電源ＯＮ/ＯＦＦすることがなく、他の内部装置への影響を抑えることができる。
さらに、本実施形態において、制御部８２４は、スイッチ８０１ａ〜８０４ａのＯＮ／ＯＦＦ状態の検知を行う。これより、障害が発生し内部装置に対して電源ＯＮ/ＯＦＦが行われたことを確認することができる。
また、本実施形態において、通信装置１Ｂは、予備系電源４から電源が供給されている場合、必要最小構成での動作保障の制御を行うことで、消費電力を削減することができる。
本実施形態は、第２実施形態に予備系電源４が接続された場合について説明したが、第１実施形態に本実施形態の予備系電源４が接続された場合においても、同様である。
【００３９】
（第４実施形態）
次に本発明の第４実施形態について図６を参照して説明する。
図６は、本発明の第４実施形態における通信装置の構成例である。本発明の第４実施形態は、第３実施形態の通信装置にネットワークが接続されている。
なお、図４と同様の構成には同一の符号を付してある。以下、構成及び動作が第３実施形態と異なる点を説明する。
【００４０】
通信装置１Ｃは、保守サポートセンタ２に接続されている。
保守サポートセンタ２は、通信装置１Ｃの保守業務を行う設備であり、保守者が常駐している。保守サポートセンタ２は、第１サポートサーバ２００と第２サポートサーバ２０１とを備える。第１サポートサーバ２００は、監視制御網を介して通信装置１Ｃと接続され、第２サポートサーバ２０１は、電源制御管理網を介して通信装置１Ｃに接続されている。
第１サポートサーバ２００は、保守者が通信装置１Ｃの内部装置の死活監視やリロードを遠隔から行うためのサーバである。
第２サポートサーバ２０１は、保守者が通信装置１Ｃの内部装置の電源ＯＮ/ＯＦＦを遠隔から行うためのサーバである。
【００４１】
図６に示すように、本発明の通信装置１Ｃは、電源供給先７Ａ及び電源供給部８Ｃを有している。
電源供給先７Ａは、通信制御管理部６及び内部装置を有している。内部装置は、ファン部５、通信Ｉ／Ｏ部７１〜７４を有している。
【００４２】
ファン部５は、複数の図示しない冷却ファンを有する。冷却ファンは、通信装置１Ｃ内部の温度に応じて空気を通信装置１Ｃ外部に排出する。また、ファン部５は、通信装置１Ｃ内に設けられた電源供給部８Ｃに接続され、電源供給部８Ｃより電源の供給を受ける。
【００４３】
通信制御管理部６は、伝送通信用の監視制御網に接続され、第１サポートサーバ２００と通信を行う。伝送通信用の監視制御網は、通信装置１Ｃの内部装置に障害が発生した場合に使用される通信網である。通信装置１Ｃは、内部装置に障害が発生した場合、伝送通信用の監視制御網を介して、第１サポートサーバ２００に障害を示すアラームメッセージを送信する。
【００４４】
通信制御管理部６は、ファン部５及び通信I／Ｏ部７１〜７４に接続されている。通信制御管理部６は、ファン部５及び通信I／Ｏ部７１〜７４の各々に対して、正常に動作しているか否かの監視（以下、「死活監視」という。）を行う。通信制御管理部６の死活監視は、例えば、決められた間隔でファン部５及び各通信Ｉ／Ｏ部７１〜７４の各々に異常がないか問い合わせを行う。また、ファン部５及び各通信Ｉ／Ｏ部７１〜７４の各々は、正常に動作しているか否かの監視を自身で行い、自律的に警報を発出する場合もある。
本発明の実施形態において、死活監視は、決められた間隔でファン部５及び各通信Ｉ／Ｏ部７１〜７４の各々に異常がないか問い合わせを行う場合について説明する。
異常がない場合、ファン部５及び各通信Ｉ／Ｏ部７１〜７４の各々は、自身の識別番号が付与された応答信号を通信制御管理部６に送信する。
異常がある場合、ファン部５及び各通信Ｉ／Ｏ部７１〜７４の各々は、応答信号を通信制御管理部６に送信しない。通信制御管理部６は、一定時間内に内部装置であるファン部５及び通信I／Ｏ部７１〜７４のいずれかから応答信号を受信しなかった（応答がない）場合、応答がない内部装置に障害が発生したと判定する。
【００４５】
内部装置に障害が発生したと判定した場合、通信制御管理部６は、障害が発生した内部装置の識別番号を含むアラームメッセージを第１サポートサーバ２００に送出する。第１サポートサーバ２００は、受信した障害を表すアラームメッセージを表示画面に出力する。保守者は、第１サポートサーバ２００により障害を示すアラームメッセージを確認する。保守者は、障害を示すアラームメッセージを確認した場合、障害が発生した内部装置のリロードを実施する。リロードとは、障害が発生した装置を復旧させるために、電源を切らずに再起動を行うウォームスタート（リブート）処理である。以下、リロードの処理の流れの具体例について説明する。
【００４６】
保守者は、第１サポートサーバ２００に対し、故障した内部装置に対するリロードコマンドの送信を指示する。この指示に応じて、第１サポートサーバ２００は、リロードコマンドを通信制御管理部６に送信する。通信制御管理部６は、内部装置にリロードの実行を示す信号を送信する。なお、リロードの実行を示す信号には、故障した内部装置の識別番号（以下、「故障識別番号」という。）が付加してある。
ファン部５及び通信I／Ｏ部７１〜７４は、受信した故障識別番号と予め内部装置の各部の図示しない記憶部８２２に記憶されている自身の識別番号（以下、「記憶識別番号」という。）とを照合する。照合した結果、記憶識別番号が故障識別番号と一致した内部装置は、リロードを実行する。
【００４７】
次に、電源供給部８Ｃに関して、図７を参照して説明する。なお、図５と同様の構成には同一の符号を付してある。以下、構成及び動作が第３実施形態と異なる点を説明する。
電源供給部８Ｃは、電源出力制御管理部８０１Ａ〜８０６Ａ、電源制御部８２０、第１電源入力制御管理部８１１、第２電源入力制御管理部８１２を備える。
電源出力制御管理部８０５Ａ、８０６Ａは、それぞれ電源出力制御管理部８０１Ａ〜８０４Ａと同様の構成及び動作である。
【００４８】
記憶部８２２は、予め電源出力制御管理部８０１Ａ〜８０６Ａ、第１電源入力制御管理部８１１、第２電源入力制御管理部８１２の識別番号を記憶している。
記憶部８２２は、スイッチ状態閾値を記憶している。スイッチ状態閾値は、計測センサ８０１ｂ〜８０６ｂが測定した測定データと比較する閾値である。例えば、計測データが電流値の場合、スイッチ状態閾値は、スイッチがＯＮ状態かＯＦＦ状態かのいずれかであるかを判定する電流値の閾値である。
【００４９】
入出力部８２３は、第２サポートサーバ２０１と電源制御管理網を介して接続されている。
電源制御管理網は、通信装置１Ｃの故障した内部装置に対して電源ＯＮ/ＯＦＦを実施する場合に使用される通信網である。第２サポートサーバ２０１は、故障した内部装置に対して電源ＯＮ/ＯＦＦを実施する場合、電源制御管理網を介して、入出力部８２３に第１制御信号を送信する。
入出力部８２３は、第２サポートサーバから受信した第１制御信号を制御部８２４に伝達する。
【００５０】
制御部８２４は、電源出力制御管理部８０１Ａ〜８０６Ａに接続され、電源出力制御管理部毎にＯＮ／ＯＦＦ制御を行う。
制御部８２４は、第２サポートサーバ２０１から入出力部８２３を介して第１制御信号を受信する。
制御部８２４は、計測センサ８０１ｂ〜８０６ｂの各々が計測する計測データを単位時間ごとに取得する。制御部８２４は、計測データがスイッチ状態閾値以上か否かを判別する。制御部８２４は、計測データがスイッチ状態閾値以上か否かを判別する。例えば、制御部８２４は、取得した電流値がスイッチ状態閾値未満の場合、スイッチがＯＦＦ状態と判定する。一方、制御部８２４は、取得した電流値がスイッチ状態閾値以上の場合、スイッチがＯＮ状態と判定する。
制御部８２４は、記憶部８２２に対して、計測データ及びＯＮ／ＯＦＦ状態を電源出力制御管理部の識別番号に対応させて時系列に蓄積する。
保守者は、蓄積された計測データを、電源制御管理網を介して取得し、閲覧することができる。
制御部８２４は、８１１ｂが計測した計測データが下限値未満の場合、第２サポートサーバ２０１に対して現用系電源３の停電を示すアラームを送出する。
制御部８２４は、８１２ｂが計測した計測データが上限閾値及び下限閾値の範囲内ではない場合、第２サポートサーバ２０１に対して予備系電源４に障害が発生したことを示すアラームを送出する。
【００５１】
次に本実施形態の通信装置１Ｃの内部装置に障害が発生した場合の基本的な通信装置１Ｃの動作について、図８のフローチャートに基づいて説明する。
以下の説明において、通信Ｉ／Ｏ部７１に障害が発生した場合について説明する。
【００５２】
ステップＳ１０において、通信制御管理部６は、通信Ｉ／Ｏ部７１に障害が発生したと判定すると、障害を示すアラームメッセージを第１サポートサーバ２００に送出する。
第１サポートサーバ２００は、受信されたアラームメッセージの内容を表示する。保守者は、表示されたアラームメッセージを見ることによって、通信Ｉ／Ｏ部７１に障害が生じたことを確認する。
【００５３】
保守者は、第１サポートサーバ２００に対し、故障した内部装置に対するリロードコマンドの送信を指示する。この指示に応じて、第１サポートサーバ２００は、故障した内部装置の識別番号を含むリロードコマンドを通信制御管理部６に送信する。ステップＳ１１において、通信制御管理部６は、リロードコマンドを受信し、内部装置にリロードの実行を示す信号を送信する。
【００５４】
ステップＳ１２において、通信制御管理部６は、通信Ｉ／Ｏ部７１がリロードコマンドを受け付けるか否かの判定を行う。
通信Ｉ／Ｏ部７１がリロードコマンドを受け付ける場合、そのままリロードを実施し、ステップＳ１３に進む。
一方、通信Ｉ／Ｏ部７１がリロードコマンドを受け付けない場合、通信制御管理部６は、第１サポートサーバ２００に通信Ｉ／Ｏ部７１の電源ＯＮ/ＯＦＦを行うことを示すアラームメッセージ（死活状態を表す信号）を送信する。
【００５５】
ステップＳ１３において、通信制御管理部６は、通信Ｉ／Ｏ部７１の復旧判定を行う。
通信Ｉ／Ｏ部７１のリロードが正常に完了した場合、通信Ｉ／Ｏ部７１は、通信制御管理部６にリロードが正常に完了したことを示す信号（以下、「リロード完了信号」という。）を送信する。通信制御管理部６は、リロード完了信号を一定時間内に受信する場合、障害が復旧したと判定する。よって、通信制御管理部６は、第１サポートサーバ２００に通信Ｉ／Ｏ部７１の障害が復旧したことを示す復旧メッセージを送出する。第１サポートサーバは、復旧メッセージを表示画面に出力する。保守者は復旧メッセージを確認し、リロードによる障害の復旧が了となる。
一方、通信制御管理部６は、リロード完了信号を一定時間内に受信しない場合、障害が復旧していないと判定する。よって、通信制御管理部６は、第１サポートサーバ２００に通信Ｉ／Ｏ部７１の電源ＯＮ/ＯＦＦを行うことを示すアラームメッセージ（死活状態を表す信号）を送信する。
【００５６】
第１サポートサーバは、表示画面に死活状態を表す信号を出力する。保守者は、第１サポートサーバ２００により死活状態を表す信号を出力する信号を確認する。これより、保守者は、通信Ｉ／Ｏ部７１に発生した障害は、電源ＯＮ/ＯＦＦを行う必要がある障害であると判定する。
【００５７】
ステップＳ１４において、保守者は、第２サポートサーバ２０１を介して、入出力部８２３に第１制御信号を送信する。
入出力部８２３は、第２サポートサーバから受信した第１制御信号を制御部８２４に出力する。
【００５８】
制御部８２４は、入出力部８２３から第１制御信号を受信する。制御部８２４は、第１制御信号から電源ＯＮ/ＯＦＦ識別番号を抽出する。制御部８２４は、電源ＯＮ/ＯＦＦ識別番号の電源出力制御管理部８０３Ａにスイッチ８０３ａをＯＦＦ状態とする第２制御信号を送信する。
【００５９】
電源出力制御管理部８０３は、第２制御信号を受信すると、スイッチ８０３ａをＯＦＦ状態にする。これより、通信Ｉ／Ｏ部７１に供給されていた電源の供給が停止される。このとき、制御部８２４は、スイッチ８０３ａがＯＦＦ状態になっているか確認するために、計測センサ８０３ｂが計測した電流値を確認する。制御部８２４は、確認した電流値がスイッチ閾値未満である場合、スイッチ８０３ａはＯＦＦ状態であると判定する。
【００６０】
制御部８２４は、スイッチ８０３ａがＯＦＦ状態であると判定すると、制御部８２４は、電源出力制御管理部８０３Ａにスイッチ８０３ａをＯＮ状態とする第２制御信号を送信する。
【００６１】
電源出力制御管理部８０３は、第２制御信号を受信すると、スイッチ８０３ａをＯＮ状態とする。これより、通信Ｉ／Ｏ部７１に再び電源が供給される。
このとき、制御部８２４は、スイッチ８０３ａがＯＮ状態になっているか確認するために、計測センサ８０３ｂが計測した電流値を確認する。制御部８２４は、確認した電流値がスイッチ閾値以上である場合、スイッチ８０３ａはＯＮ状態であると判定する。
【００６２】
ステップＳ１５において、電源ＯＮ/ＯＦＦが完了した通信Ｉ／Ｏ部７１は、自身が正常動作しているか否か確認し、正常動作を示す応答信号（以下、「正常動作信号」という。）を通信制御管理部６に送信する。通信制御管理部６は、正常動作信号を受信し、障害が復旧したと判定する。よって、通信制御管理部６は、第１サポートサーバ２００に通信Ｉ／Ｏ部７１の障害が復旧したことを示す復旧メッセージを送出する。制御部８２４は、電源ＯＮ/ＯＦＦが完了したことを示すメッセージ（以下、「電源ＯＮ/ＯＦＦ完了メッセージ」という。）を入出力部８２３を介して第２サポートサーバ２０１に送出する。
第１サポートサーバ２００は、復旧メッセージを表示画面に出力する。第２サポートサーバ２０１は、電源ＯＮ/ＯＦＦ完了メッセージを表示画面に出力する。保守者は上述した２つのメッセージを確認し、復旧完了となる。
【００６３】
次に本発明の現用系電源３が停電した場合の通信装置１Ｃの動作について、図９のフローチャートに基づいて説明する。
【００６４】
ステップＳ２１において、制御部８２４は、計測センサ８０１ｂ〜８０６ｂ、８１１ｂ、８１２ｂの各々が計測した計測値を一定周期毎に取得する。
【００６５】
ステップＳ２２において、制御部８２４は、計測センサ８１１ｂから取得した電圧値が下限値以上である場合、停電が発生していないと判定する。その場合、ステップＳ２６に進み、予備系電源４の充電を行う。
一方、制御部８２４は、計測センサ８１１ｂから取得した電圧値が下限値未満の場合、停電が発生していると判定する。その場合、ステップＳ２３に進み、第２サポートサーバ２０１に停電を示すアラームメッセージの送出を行う。
【００６６】
ステップＳ２３において、制御部８２４は、電源部８２１への電源供給ルートを現用系電源３から予備系電源４に切り替える。
【００６７】
制御部８２４は、第１電源入力制御管理部８１１にスイッチ８１１ａをＯＦＦ状態とする信号を送信する。また、第２電源入力制御管理部８１２にスイッチ８１２ａをＯＮ状態とする信号を送信する。
第１電源入力制御管理部８１１は、スイッチ８１１ａをＯＦＦ状態とする。第２電源入力制御管理部８１２は、スイッチ８１２ａをＯＮ状態とする。
【００６８】
ステップＳ２４において、制御部８２４は、電源供給先７に電源が供給されているか確認するために、計測センサ８０１ｂ〜８０６ｂが計測した計測データを確認する。制御部８２４は、確認した計測データがスイッチ状態閾値以上である場合、電源供給先７に電源が供給されていると判定する。
制御部８２４は、電源供給先７に電源が問題なく供給されていると判定すると、切り替え完了メッセージを入出力部８２３を介して第２サポートサーバ２０１に送出する。
【００６９】
第２サポートサーバ２０１は、切り替え完了メッセージを表示画面に出力する。保守者は、切り替えメッセージを確認する。また、保守者は、第１サポートサーバ２００にアラームメッセージが表示されていないことを確認する。
【００７０】
ステップＳ２５においては、保守者は、予備系電源４の電圧値に基づいて、予め決められた内部装置の優先度の低い順番に従って電源を切断する。
【００７１】
（第５実施形態）
次に本発明の第５実施形態について図面を参照して説明する。図１０は、本発明の第５実施形態による通信装置１Ｄの構成例である。なお、図６と同様の構成には同一の符号を付してある。以下、構成及び動作が第４実施形態と異なる点を説明する。
【００７２】
本実施形態では、図１０に示すように、電源供給部８Ｄの中に電源部８２１のみ配置される構成とする。電源部８２１とファン部５、通信制御管理部６、通信Ｉ／Ｏ部７１〜７４との各々の間には、それぞれ電源出力制御管理部８０１Ａ〜８０６Ａと同様の構成の電源出力制御管理部８４１Ａ〜８４６Ａが介挿されている。
電源供給部８Ｄと現用系電源３、予備系電源４の各々の間には、それぞれ第１電源入力制御管理部８１１、第２電源入力制御管理部８１２と同様の構成の第１電源入力制御管理部８５１、第２電源入力制御管理部８５２が介挿されている。
【００７３】
第４実施形態では、図６に示す電源制御部８２０は、電源供給部８Ｃの中に配置されていた。一方、本第５実施形態では、電源制御部８２０ａは電源制御管理部１００の中に配置されている。
また、第４実施形態では、図１に示す記憶部８２２、入出力部８２３、制御部８２４は電源供給部８Ｃの中に配置されていた。しかしながら、本第５実施形態では、電源制御部８２０aの中に制御部８２４a、記憶部８２２a、入出力部８２３aが配置されている。制御部８２４a、記憶部８２２a、入出力部８２３aの各々は、制御部８２４、記憶部８２２、入出力部８２３と同様の構成である。内部装置の障害が発生した場合と現用系電源３の停電の場合の制御は、図８、図９のフローチャートと同様となるため、説明は省略する。
【００７４】
このように、第５実施形態では、既存の通信装置を本発明の通信装置に改造する場合、既存の内部回路は変更せずに、電源制御管理部１００のユニットを新しく追加するだけで達成することができる。
【００７５】
（第６実施形態）
次に本発明の第６実施形態について説明する。図１１は、本発明の第６実施形態による通信装置１Ｅの構成例である。なお、図６と同様の構成には同一の符号を付してある。以下、構成及び動作が第４実施形態と異なる点を説明する。
【００７６】
本実施形態では、図１１に示すように、電源出力制御管理部８３１Ａ〜８３６Ａの各々は電源供給ラインを通して接続されていた電源供給先７Ｂの各部の中に配置する構成になっている。電源出力制御管理部８３１Ａ〜８３６Ａの各々は、それぞれ電源出力制御管理部８０１Ａ〜８０６Ａと同様の構成である。内部装置の障害が発生した場合と現用系電源３の停電の場合の制御は、図８、図９のフローチャートと同様となるため、説明は省略する。
【００７７】
既存の通信装置を本発明の通信装置に改造する場合、本第６実施形態では、第５実施形態に比べ、電源供給先７Ｂの各部に電源出力制御管理部８３１Ａ〜８３６Ａを追加する。また、電源供給部８Ｅに第１電源入力制御管理部８１１、第２電源入力制御管理部８１２、電源制御部８２０を追加する改造を行う必要がある。
しかし、電源制御管理部１００の機能をすべて既存の内部装置に入れ込むため、第５実施形態に比べて、小型にすることができる。
上述した実施形態４〜６は、本発明の通信装置がボックス型の場合である。ボックス型とは、１つの筐体にすべての装置が構成されているものである。
【００７８】
（第７実施形態）
次に本発明の第７実施形態について説明する。
第７実施形態では、ファン部５、通信制御管理部６、通信Ｉ／Ｏ部７１、ファン部５ａ、通信制御管理部６ａ、通信Ｉ／Ｏ部７１ａが電源供給先７Ａに相当する。なお、ファン部５は、複数の部品から構成されても良い。また、通信制御管理部６及び通信Ｉ／Ｏ部７１は、複数のパッケージで構成されても良い。
図１２は、本発明の第７実施形態における通信装置１Ｆの構成例である。図１２に示す第７実施形態の通信装置１Ｆは、ラックマウント型のユニットを積み上げることで構成される装置（以下、「ラック型」という。）であり、図６と同様の構成には同一の符号を付してある。以下、構成及び動作が第４実施形態と異なる点を説明する。
【００７９】
通信装置１Ｆは、通信ユニット１０１、通信ユニット１０２、ＦＦＴＵ１０３を備える。ただし、通信ユニットの数は通信装置１Ｆのサイズや通信ユニットのサイズによって決まるものであり、本第７実施形態では２つの通信ユニットを備える通信装置１Ｆとして説明する。
【００８０】
通信ユニット１０１は、ファン部５、通信制御管理部６、通信Ｉ／Ｏ部７１より構成されている。通信ユニット１０２は、ファン部５ａ、通信制御管理部６ａ、通信Ｉ／Ｏ部７１ａを備えており、通信ユニット１０１の構成と同様である。
ＦＦＴＵ（Ｆｕｓｅ  Ｆｉｌｔｅｒ  Ｔｅｒｍｉｎａｌ  Ｕｎｉｔ)１０３はラックマウント型のヒューズ盤であり、電源部８２１と同様な機能を有する電源部を備える。ＦＦＴＵ１０３は、電源出力制御管理部８０１〜８０６、電源制御部８２０、第１電源入力制御管理部８１１、第２電源入力制御管理部８１２を備える。
【００８１】
図６に示すボックス型の通信装置１Ｃの構成をラック型の通信装置として構成する場合、図６の通信装置１Ｃの構成は、図１２に示す本第７実施形態の通信装置１Ｆとして構成することができる。図６で示す通り、電源出力制御管理部８０１Ａ〜８０６Ａ、電源制御部８２０、第１電源入力制御管理部８１１、第２電源入力制御管理部８１２の各々は電源供給部８Ｃの中に配置される。しかし、図１２は、ＦＦＴＵ１０３の中に電源出力制御管理部８０１Ａ〜８０６Ａ、電源制御部８２０、第１電源入力制御管理部８１１、第２電源入力制御管理部８１２が配置される。通信ユニット１０１及び通信ユニット１０２の各部の故障時と現用系電源３の停電時における制御は図８、図９のフローチャートと同様となるため、説明は省略する。
【００８２】
（第８実施形態）
次に本発明の第８実施形態について説明する。図１３は、本発明の第８実施形態における通信装置１Ｇの構成例である。図１３に示す第８実施形態の通信装置１Ｇはラック型である。図１０及び図１２と同様の構成には同一の符号を付してある。以下、構成及び動作が第５及び第７実施形態と異なる点を説明する。
【００８３】
図１０に示すボックス型の通信装置１Ｄの構成をラック型の通信装置として構成する場合、図１０の通信装置１Ｄの構成は、図１３に示す本第８実施形態の通信装置１Ｇとして構成することができる。
第８実施形態の通信装置１Ｇは、通信ユニット１０１、通信ユニット１０２、ＦＦＴＵ１０３ａ、電源制御管理ユニット１０４を備える。ＦＦＴＵ１０３ａは電源部８２１のみ備える。
【００８４】
上述したように、ＦＦＴＵ１０３ａは電源部８２１を備える。よって、現用系電源３と予備系電源４は、第１電源入力制御管理部８５１、第２電源入力制御管理部８５２に直接接続されず、ＦＦＴＵ１０３ａを経由する。よってＦＦＴＵ１０３ａから出力された電圧は、通信ユニット１０１、１０２の動作電圧に変換された電圧である。
この場合、通信ユニット１０１及び通信ユニット１０２の各部の故障時と現用系電源３の停電時における制御は図８、図９のフローチャートと同様となるため、説明は省略する。
【００８５】
（第９実施形態）
次に本発明の第９実施形態について説明する。図１４は、本発明の第９実施形態における通信装置１Ｈの構成例である。図１４に示す第９実施形態の通信装置１Ｈはラック型である。図１１及び図１２と同様の構成には同一の符号を付してある。以下、構成及び動作が第６及び第７実施形態と異なる点を説明する。
【００８６】
図１１に示すボックス型の通信装置１Ｅの構成をラック型の通信装置として構成する場合、図１１に示すボックス型の通信装置１Ｅは、図１４に示す本第９実施形態の通信装置１Ｈとして構成することができる。
【００８７】
本実施形態では、図１４に示すように、電源出力制御管理部８３１Ａ〜８３６Ａの各々は電源供給ラインを通して接続されていた通信ユニット１０１ａ及び通信ユニット１０２ａの各部の中に配置する構成になっている。この場合、通信ユニット１０１ａ及び通信ユニット１０２ａの各部の故障時と現用系電源３の停電時における制御は図８、図９のフローチャートと同様となるため、説明は省略する。
【００８８】
（その他の実施形態）
なお、本発明は、図面を参照して説明した上述の実施形態に限定されるものではなく、その技術的範囲において様々な変形例が考えられる。
例えば、計測センサ８０１ｂ〜８０６ｂ、８１１ｂ、８１２ｂの各々の設置位置は、電源供給先７の各部及びスイッチ８０１ａ〜８０６ａ、８１１ａ、８１２ａの各々の間、又は電源部８２１及びスイッチ８０１ａ〜８０６ａ、８１１ａ、８１２ａの各々の間であればよい。
また、計測センサ８０１ｂ〜８０６ｂ、８１１ｂ、８１２ｂの各々の設置位置は、電源出力制御管理部８０１〜８０６、第１電源入力制御管理部８１１、第２電源入力制御管理部８１２の各々の中に配置されなくても良い。
また、通信Ｉ／Ｏ部とユーザ端末は必ずしも１対１である必要はなく、多重化等の方法により、通信Ｉ／Ｏ部１に対して複数の端末が接続されるものであってもよい。
また、第１サポートサーバ２００と第２サポートサーバ２０１は、同一のサーバであっても良い。
【００８９】
これにより、上述した本実施形態１〜９において、通信装置の内部装置毎、または、ユニット単位で電源ＯＮ/ＯＦＦを行うことができる。よって、通信装置全体を電源ＯＮ/ＯＦＦする必要がなく、ユーザ端末に余計な電源ＯＮ/ＯＦＦの影響を与えない効果がある。
また、通信装置は、ネットワークに接続可能であるため、保守者は遠隔から、内部装置毎、または、ユニット単位の電源ＯＮ/ＯＦＦを行うことができる。これにより、通信装置に障害があった場合、保守者が現地で電源ＯＮ/ＯＦＦを行う手間が省くことができ、保守の稼働を削減できる効果がある。
【００９０】
上述したステップＳ２３、またはステップＳ２４において、保守者は、第２サポートサーバ２０１にＯＮ／ＯＦＦ制御対象の識別番号と電源ＯＮ/ＯＦＦ実行コマンドを入力していた。この手間を省くため、第１サポートサーバ２００及び第２サポートサーバ２０１間で通信できるようにしてもよい。また、第１サポートサーバ２００と第２サポートサーバ２０１を１つのサーバに統合してもよい。これにより、第１サポートサーバ２００が通信制御管理部６より電源ＯＮ/ＯＦＦを行うことを示すアラームを受信した場合、すぐに、第２サポートサーバ２０１は、電源ＯＮ/ＯＦＦを実行する第１制御信号を出力できる。
【００９１】
本発明の機能を通信装置の内部に具備することにより、本発明の通信装置は、遠隔操作型電源タップを外付けで設置する従来の通信装置よりも、コンパクト化され、設置スペースの削減ができる。
【符号の説明】
【００９２】
１、１Ａ、１Ｃ、１Ｄ、１Ｅ、１Ｆ、１Ｇ、１Ｈ  通信装置
２  保守サポートセンタ
３  現用系電源
４  予備系電源
５、５ａ、５０、５０ａ  ファン部
６、６ａ、６０、６０ａ  通信制御管理部
７、７Ａ、７Ｂ  電源供給先
７１〜７４、７１ａ、８１ａ、８１〜８４、９１１〜９１５  通信Ｉ／Ｏ部
１００  電源制御管理部
１０１、１０１ａ、１０２、１０２ａ  通信ユニット
１０３、１０３ａ、１０３ｂ  ＦＦＴＵ
１０４  電源制御管理ユニット
２００  第１サポートサーバ
２０１  第２サポートサーバ
８、８Ａ、８Ｂ、８Ｃ、８Ｄ、８Ｅ  電源供給部
８０１〜８０４、８０１Ａ〜８０６Ａ、８３１Ａ〜８３６Ａ、８４１Ａ〜８４６Ａ  電源出力制御管理部
８１１、８５１  第１電源入力制御管理部
８１２、８５２  第２電源入力制御管理部
８０１ａ〜８０６ａ、８１１ａ、８１２ａ  スイッチ
８０１ｂ〜８０６ｂ、８１１ｂ、８１２ｂ  計測センサ
８２０、８２０ａ  電源制御部
８２１  電源部
８２２、８２２ａ  記憶部
８２３、８２３ａ  入出力部
８２４、８２４ａ  制御部
９１〜９４、９２０〜９２３  ユーザ端末
９００  外部電源
９１０  従来の通信装置
９１６  電源回路
９３０  遠隔操作型電源タップ
【図１】
2015056764.tif 000003
【図２】
2015056764.tif 000004
【図３】
2015056764.tif 000005
【図４】
2015056764.tif 000006
【図５】
2015056764.tif 000007
【図６】
2015056764.tif 000008
【図７】
2015056764.tif 000009
【図８】
2015056764.tif 000010
【図９】
2015056764.tif 000011
【図１０】
2015056764.tif 000012
【図１１】
2015056764.tif 000013
【図１２】
2015056764.tif 000014
【図１３】
2015056764.tif 000015
【図１４】
2015056764.tif 000016
【図１５】
2015056764.tif 000017